(57)【要約】【課題】認識距離を向上させたＮＦＣアンテナマッチングネットワークシステム及びそれを含むユーザー装置を提供する。【解決手段】本発明の近距離無線通信（ＮＦＣ）送受信機に連結されるＮＦＣアンテナマッチングネットワークシステムは、ＮＦＣ送受信機の第１端子と第２端子との間に連結されたソースコイルと、前記ソースコイルと物理的に分離された共振コイルと、有する。【選択図】図２Ａ
2014117150.tif 000002
【特許請求の範囲】
【請求項１】
近距離無線通信（以下、「ＮＦＣ」と称する）送受信機に連結されるＮＦＣアンテナマッチングネットワークシステムであって、
ＮＦＣ送受信機の第１端子と第２端子との間に連結されたソースコイルと、
前記ソースコイルと物理的に分離された共振コイルと、を有することを特徴とするＮＦＣアンテナマッチングネットワークシステム。
【請求項２】
前記ソースコイルの一端と前記第１端子との間に連結された第１キャパシターと、
前記ソースコイルの他端と前記第２端子との間に連結された第２キャパシターと、を更に含むことを特徴とする請求項１に記載のＮＦＣアンテナマッチングネットワークシステム。
【請求項３】
前記共振コイルに並列連結された第３キャパシターを更に含むことを特徴とする請求項２に記載のＮＦＣアンテナマッチングネットワークシステム。
【請求項４】
第１抵抗及び第１インダクタの中の少なくとも１つが前記第１キャパシターと前記ソースコイルの一端との間に直列連結され、
第２抵抗及び第２インダクタの中の少なくとも１つが前記第２キャパシターと前記ソースコイルの他端との間に直列連結されることを特徴とする請求項３に記載のＮＦＣアンテナマッチングネットワークシステム。
【請求項５】
第３抵抗及び第３インダクタの中の少なくとも１つが前記共振コイルと前記第３キャパシターの一端との間に直列連結されることを特徴とする請求項３に記載のＮＦＣアンテナマッチングネットワークシステム。
【請求項６】
前記共振コイルと前記第３キャパシターとは並列共振器を構成し、
前記ソースコイルと前記第１及び第２キャパシターとは直列共振器を構成し、
前記並列共振器は、前記直列共振器と物理的に分離されることを特徴とする請求項３に記載のＮＦＣアンテナマッチングネットワークシステム。
【請求項７】
前記第３キャパシターは、集中定数素子であることを特徴とする請求項６に記載のＮＦＣアンテナマッチングネットワークシステム。
【請求項８】
前記第３キャパシターは、前記共振コイルの寄生キャパシタンスであることを特徴とする請求項６に記載のＮＦＣアンテナマッチングネットワークシステム。
【請求項９】
前記ソースコイルに並列連結された第４キャパシターを更に含むことを特徴とする請求項３に記載のＮＦＣアンテナマッチングネットワークシステム。
【請求項１０】
前記第１キャパシターと前記第１端子との間に連結された第１フィルターコイルと、
前記第２キャパシターと前記第２端子との間に連結された第２フィルターコイルと、を更に含むことを特徴とする請求項３に記載のＮＦＣアンテナマッチングネットワークシステム。
【請求項１１】
前記第１キャパシター及び前記第１フィルターコイルの連結ノードと基準電位との間に連結された第４キャパシターと、
前記第２キャパシター及び前記第２フィルターコイルの連結ノードと基準電位との間に連結された第５キャパシターと、を更に含むことを特徴とする請求項１０に記載のＮＦＣアンテナマッチングネットワークシステム。
【請求項１２】
前記ソースコイルの一端と第１キャパシターの一端との間に連結された第１フィルターコイルと、
前記ソースコイルの他端と第２キャパシターの一端との間に連結された第２フィルターコイルと、を更に含むことを特徴とする請求項３に記載のＮＦＣアンテナマッチングネットワークシステム。
【請求項１３】
前記ソースコイルは、単一ループ形状又はマルチループ形状を有する第１導電ラインで形成され、
前記共振コイルは、スパイラル形状を有する第２導電ラインで形成されることを特徴とする請求項１に記載のＮＦＣアンテナマッチングネットワークシステム。
【請求項１４】
前記第１導電ラインは、フィルムの一面上に形成され、
前記第２導電ラインは、フィルムの一面上又は他面上に形成され、
前記第２導電ラインは、前記第１導電ラインのループ形状を囲むように形成されることを特徴とする請求項１３に記載のＮＦＣアンテナマッチングネットワークシステム。
【請求項１５】
前記第１導電ライン及び前記第２導電ラインは、フィルムの一面上に形成され、
前記第２導電ラインの一部は、前記第１導電ラインのループ形状を囲むように形成され、
前記第２導電ラインの残りは、前記第１導電ラインによって定義された内部空間内に形成されることを特徴とする請求項１３に記載のＮＦＣアンテナマッチングネットワークシステム。
【請求項１６】
前記第１導電ラインは、フィルムの一面上に形成され、
前記第２導電ラインは、フィルムの一面上及び他面上に形成され、
前記第２導電ラインの一部は、前記第１導電ラインによって定義された内部空間内に形成され、
前記第２導電ラインの残りは、前記フィルムの他面上に形成され、
前記第２導電ラインの一部は、前記フィルムを貫通するビアホールを通じて前記第２導電ラインの残りに連結されることを特徴とする請求項１３に記載のＮＦＣアンテナマッチングネットワークシステム。
【請求項１７】
近距離無線通信（ＮＦＣ）送受信機と、
前記ＮＦＣ送受信機に連結されたＮＦＣアンテナマッチングネットワークシステムと、を備え、
前記ＮＦＣ送受信機は、第１及び第２端子と、前記第１及び第２端子に連結されたリーダー器と、を含み、
前記ＮＦＣアンテナマッチングネットワークシステムは、
前記第１端子に連結された一端を有する第１キャパシターと、
前記第１キャパシターの他端に連結された一端を有するソースコイルと、
前記第２端子に連結された一端を有し、前記ソースコイルの他端に連結された他端を有する第２キャパシターと、
前記ソースコイルと物理的に分離された並列共振器と、を含むことを特徴とするユーザー装置。
【請求項１８】
前記並列共振器は、
共振コイルと、
前記共振コイルの一端及び他端との間に連結された第３キャパシターと、を含むことを特徴とする請求項１７に記載のユーザー装置。
【請求項１９】
前記ソースコイルと前記第１及び第２キャパシターとは、直列共振器を構成し、
前記並列共振器は、前記直列共振器と物理的に分離されることを特徴とする請求項１８に記載のユーザー装置。
【請求項２０】
前記ソースコイルに並列連結された第４キャパシターを更に含むことを特徴とする請求項１９に記載のユーザー装置。
【請求項２１】
近距離無線通信（ＮＦＣ）送受信機と、
前記ＮＦＣ送受信機に連結されたＮＦＣアンテナマッチングネットワークシステムと、を備え、
前記ＮＦＣ送受信機は、第１及び第２端子と、前記第１及び第２端子に連結されたリーダー器と、前記第１及び第２端子に連結されたカード回路と、を含み、
前記ＮＦＣアンテナマッチングネットワークシステムは、
前記第１端子に連結された一端を有する第１キャパシターと、
前記第１キャパシターの他端に連結された一端を有するソースコイルと、
前記第２端子に連結された一端を有し、前記ソースコイルの他端に連結された他端を有する第２キャパシターと、
前記ソースコイルと物理的に分離され、共振コイルと該共振コイルの一端及び他端との間に連結された第３キャパシターとで構成された並列共振器と、を含むことを特徴とするユーザー装置。
【請求項２２】
近距離無線通信（ＮＦＣ）送受信機と、
前記ＮＦＣ送受信機に連結されたＮＦＣアンテナマッチングネットワークシステムと、を備え、
前記ＮＦＣ送受信機は、第１〜第４端子と、前記第１及び第２端子に連結されたリーダー器と、前記第３及び第４端子に連結されたカード回路と、を含み、
前記ＮＦＣアンテナマッチングネットワークシステムは、
前記第１及び第３端子に連結された一端を有する第１キャパシターと、
前記第１キャパシターの他端に連結された一端を有するソースコイルと、
前記第２及び第４端子に連結された一端を有し、前記ソースコイルの他端に連結された他端を有する第２キャパシターと、
前記ソースコイルと物理的に分離され、共振コイルと該共振コイルの一端及び他端との間に連結された第３キャパシターとで構成された並列共振器と、を含むことを特徴とするユーザー装置。
【請求項２３】
近距離無線通信（ＮＦＣ）送受信機と、
前記ＮＦＣ送受信機に連結されたＮＦＣアンテナマッチングネットワークシステムと、を備え、
前記ＮＦＣ送受信機は、第１〜第５端子と、前記第１〜第３端子に連結されたリーダー器と、前記第４及び第５端子に連結されたカード回路と、を含み、
前記ＮＦＣアンテナマッチングネットワークシステムは、
前記第１及び第４端子に連結された一端を有する第１キャパシターと、
前記第１キャパシターの他端に連結された一端を有するソースコイルと、
前記第２及び第５端子に連結された一端を有し、前記第３端子に連結された前記ソースコイルの他端に連結された他端を有する第２キャパシターと、
前記ソースコイルと物理的に分離され、共振コイルと該共振コイルの一端及び他端との間に連結された第３キャパシターとで構成された並列共振器と、を含むことを特徴とするユーザー装置。
【請求項２４】
前記第１キャパシターと前記第１端子との間に連結された第１フィルターコイルと、
前記第２キャパシターと前記第２端子との間に連結された第２フィルターコイルと、を更に含むことを特徴とする請求項１８、２１、２２、又は２３に記載のユーザー装置。
【請求項２５】
前記第１キャパシター及び前記第１フィルターコイルの連結ノードと基準電位との間に連結された第４キャパシターと、
前記第２キャパシター及び前記第２フィルターコイルの連結ノードと基準電位との間に連結された第５キャパシターと、を更に含むことを特徴とする請求項２４に記載のユーザー装置。
【請求項２６】
前記ソースコイルの一端と前記第１キャパシターの一端との間に連結された第１フィルターコイルと、
前記ソースコイルの他端と前記第２キャパシターの一端との間に連結された第２フィルターコイルと、を更に含むことを特徴とする請求項１７、２１、２２、又は２３に記載のユーザー装置。
【発明の詳細な説明】
【技術分野】
【０００１】
本発明は、無線通信装置に関し、より詳細には、近距離無線通信装置（Ｎｅａｒ  Ｆｉｅｌｄ  Ｃｏｍｍｕｎｉｃａｔｉｏｎ  ｄｅｖｉｃｅ）に関する。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ）システムは、電波を利用する自動認識分野に属し、超短波や長波等の電波を利用して予め格納された所定の情報を無線で認識する無線周波数識別システムである。ＲＦＩＤシステムの動作原理によれば、リーダー器は、タグ（ｔａｇ）に格納された情報を受信して認識し、分析してタグが装着された商品の固有情報を取得する。
【０００３】
ＲＦＩＤシステムは、ＲＦ信号を利用するため、雪、雨、風、埃、及び磁束等のような周辺環境の影響を受けにくく、また認識速度が速いため、移動の際にも認識が可能であり、一定程度の遠距離でも認識が可能であり、製造過程で固有のＩＤを付与して偽造が概ね不可能であるという特徴がある。
【０００４】
このようなＲＦＩＤシステムは、一般的にリーダー器、アンテナ、タグで構成され、アンテナはタグとリーダー器との間で中継役割を担当する。リーダー器は、所定周波数の信号を利用して、タグに電力と信号とを伝送してタグを活性化させ、活性化されたタグからの応答を受ける。
【０００５】
一方、ＲＦＩＤの一分野であるＮＦＣ（Ｎｅａｒ  Ｆｉｅｌｄ  Ｃｏｍｍｕｎｉｃａｔｉｏｎ）は１３．５６ＭＨｚの周波数を使用し、近距離で低電力にデータを伝送する近距離無線通信としてＩＳＯ１８０９２標準に規定されている。ＮＦＣは、１３．５６ＭＨｚの周波数以外にも１２５ｋＨｚ、１３５ｋＨｚ、及び９００ＭＨｚを初めとして多様な周波数信号で近距離無線通信を行うことができる。
【０００６】
ＮＦＣは、情報機器間のデータ送受信を可能にし、携帯用端末機間は勿論、ノートブック型コンピューターコンピューターと携帯用端末機との間に、住所録やゲーム、ＭＰ３ファイル等をやり取りすることができることが長所である。所定の周波数帯域を使用するＮＦＣ技術は、安定性が高いため、交通カード等のモバイル支払決済に使用され、今後、所定の情報を格納したタグにアクセスすることで、各種情報が得られる情報端末機として活用が期待される。
【０００７】
このようなＮＦＣ用チップが内装された携帯用端末機は、現在普及初期として、今後、携帯電話等のような移動通信端末機等に幅広く採択されることが予測される。このようなＮＦＣチップを内装している携帯用端末機は、通常ＮＦＣアンテナを具備し、ＮＦＣアンテナを通じて外部リーダー器と通信を遂行する。
【先行技術文献】
【特許文献】
【０００８】
【特許文献１】米国特許公開第２０１２／００７５１４８号明細書
【発明の概要】
【発明が解決しようとする課題】
【０００９】
本発明は、上記従来技術に鑑みてなされたものであって、本発明の目的は、認識距離を向上させたＮＦＣアンテナマッチングネットワークシステム及びそれを含むユーザー装置を提供することにある。
【課題を解決するための手段】
【００１０】
上記目的を達成するためになされた本発明の一特徴による近距離無線通信（以下、「ＮＦＣ」と称する）送受信機に連結されるＮＦＣアンテナマッチングネットワークシステムは、ＮＦＣ送受信機の第１端子と第２端子との間に連結されたソースコイルと、前記ソースコイルと物理的に分離された共振コイルと、を有する。
【００１１】
前記ＮＦＣアンテナマッチングネットワークシステムは、前記ソースコイルの一端と前記第１端子との間に連結された第１キャパシターと、前記ソースコイルの他端と前記第２端子との間に連結された第２キャパシターと、を更に含むことができる。
前記ＮＦＣアンテナマッチングネットワークシステムは、前記共振コイルに並列連結された第３キャパシターを更に含むことができる。
第１抵抗及び第１インダクタの中の少なくとも１つが前記第１キャパシターと前記ソースコイルの一端との間に直列連結され、第２抵抗及び第２インダクタの中の少なくとも１つが前記第２キャパシターと前記ソースコイルの他端との間に直列連結され得る。
第３抵抗及び第３インダクタの中の少なくとも１つが前記共振コイルと前記第３キャパシターの一端との間に直列連結され得る。
前記共振コイルと前記第３キャパシターとは並列共振器を構成し、前記ソースコイルと前記第１及び第２キャパシターとは直列共振器を構成し、前記並列共振器は、前記直列共振器と物理的に分離され得る。
前記第３キャパシターは、集中定数素子であり得る。
前記第３キャパシターは、前記共振コイルの寄生キャパシタンスであり得る。
前記ＮＦＣアンテナマッチングネットワークシステムは、前記ソースコイルに並列連結された第４キャパシターを更に含むことができる。
前記ＮＦＣアンテナマッチングネットワークシステムは、前記第１キャパシターと前記第１端子との間に連結された第１フィルターコイルと、前記第２キャパシターと前記第２端子との間に連結された第２フィルターコイルと、を更に含むことができる。
前記ＮＦＣアンテナマッチングネットワークシステムは、前記第１キャパシター及び前記第１フィルターコイルの連結ノードと基準電位との間に連結された第４キャパシターと、前記第２キャパシター及び前記第２フィルターコイルの連結ノードと基準電位との間に連結された第５キャパシターと、を更に含むことができる。
前記ＮＦＣアンテナマッチングネットワークシステムは、前記ソースコイルの一端と第１キャパシターの一端との間に連結された第１フィルターコイルと、前記ソースコイルの他端と第２キャパシターの一端との間に連結された第２フィルターコイルと、を更に含むことができる。
前記ソースコイルは、単一ループ形状又はマルチループ形状を有する第１導電ラインで形成され、前記共振コイルは、スパイラル形状を有する第２導電ラインで形成され得る。
前記第１導電ラインは、フィルムの一面上に形成され、前記第２導電ラインは、フィルムの一面上又は他面上に形成され、前記第２導電ラインは、前記第１導電ラインのループ形状を囲むように形成され得る。
前記第１導電ライン及び前記第２導電ラインは、フィルムの一面上に形成され、前記第２導電ラインの一部は、前記第１導電ラインのループ形状を囲むように形成され、前記第２導電ラインの残りは、前記第１導電ラインによって定義された内部空間内に形成され得る。
前記第１導電ラインは、フィルムの一面上に形成され、前記第２導電ラインは、フィルムの一面上及び他面上に形成され、前記第２導電ラインの一部は、前記第１導電ラインによって定義された内部空間内に形成され、前記第２導電ラインの残りは、前記フィルムの他面上に形成され、前記第２導電ラインの一部は、前記フィルムを貫通するビアホールを通じて前記第２導電ラインの残りに連結され得る。
【００１２】
上記目的を達成するためになされた本発明の一特徴によるユーザー装置は、近距離無線通信（ＮＦＣ）送受信機と、前記ＮＦＣ送受信機に連結されたＮＦＣアンテナマッチングネットワークシステムと、を備え、前記ＮＦＣ送受信機は、第１及び第２端子と、前記第１及び第２端子に連結されたリーダー器と、を含み、前記ＮＦＣアンテナマッチングネットワークシステムは、前記第１端子に連結された一端を有する第１キャパシターと、前記第１キャパシターの他端に連結された一端を有するソースコイルと、前記第２端子に連結された一端を有し、前記ソースコイルの他端に連結された他端を有する第２キャパシターと、前記ソースコイルと物理的に分離された並列共振器と、を含む。
【００１３】
上記目的を達成するためになされた本発明の他の特徴によるユーザー装置は、近距離無線通信（ＮＦＣ）送受信機と、前記ＮＦＣ送受信機に連結されたＮＦＣアンテナマッチングネットワークシステムと、を備え、前記ＮＦＣ送受信機は、第１及び第２端子と、前記第１及び第２端子に連結されたリーダー器と、前記第１及び第２端子に連結されたカード回路と、を含み、前記ＮＦＣアンテナマッチングネットワークシステムは、前記第１端子に連結された一端を有する第１キャパシターと、前記第１キャパシターの他端に連結された一端を有するソースコイルと、前記第２端子に連結された一端を有し、前記ソースコイルの他端に連結された他端を有する第２キャパシターと、前記ソースコイルと物理的に分離され、共振コイルと該共振コイルの一端及び他端との間に連結された第３キャパシターとで構成された並列共振器と、を含む。
【００１４】
上記目的を達成するためになされた本発明の更に他の特徴によるユーザー装置は、近距離無線通信（ＮＦＣ）送受信機と、前記ＮＦＣ送受信機に連結されたＮＦＣアンテナマッチングネットワークシステムと、を備え、前記ＮＦＣ送受信機は、第１〜第４端子と、前記第１及び第２端子に連結されたリーダー器と、前記第３及び第４端子に連結されたカード回路と、を含み、前記ＮＦＣアンテナマッチングネットワークシステムは、前記第１及び第３端子に連結された一端を有する第１キャパシターと、前記第１キャパシターの他端に連結された一端を有するソースコイルと、前記第２及び第４端子に連結された一端を有し、前記ソースコイルの他端に連結された他端を有する第２キャパシターと、前記ソースコイルと物理的に分離され、共振コイルと該共振コイルの一端及び他端との間に連結された第３キャパシターとで構成された並列共振器と、を含む。
【００１５】
また、上記目的を達成するためになされた本発明の更に他の特徴によるユーザー装置は、近距離無線通信（ＮＦＣ）送受信機と、前記ＮＦＣ送受信機に連結されたＮＦＣアンテナマッチングネットワークシステムと、を備え、前記ＮＦＣ送受信機は、第１〜第５端子と、前記第１〜第３端子に連結されたリーダー器と、前記第４及び第５端子に連結されたカード回路と、を含み、前記ＮＦＣアンテナマッチングネットワークシステムは、前記第１及び第４端子に連結された一端を有する第１キャパシターと、前記第１キャパシターの他端に連結された一端を有するソースコイルと、前記第２及び第５端子に連結された一端を有し、前記第３端子に連結された前記ソースコイルの他端に連結された他端を有する第２キャパシターと、前記ソースコイルと物理的に分離され、共振コイルと該共振コイルの一端及び他端との間に連結された第３キャパシターとで構成された並列共振器と、を含む。
【発明の効果】
【００１６】
本発明のＮＦＣアンテナマッチングネットワークシステムによれば、伝送モードに適合した直列共振回路と受信モードに適合した並列共振回路とが電気的に分離された状態でＮＦＣ信号を送受信するため、直列共振回路と並列共振回路とはインピーダンスの側面で互いに影響を受けない。一般的なＮＦＣアンテナマッチングネットワークシステムと比較して、共振コイルＬｒから見たインピーダンスは、共振コイルＬｒがフローティング状態に維持されるために低くなる。これはソースコイルＬｓのインピーダンスが減少することを意味する。インピーダンスが減少することによって、ソースコイルＬｓを通じて流れる電流量が相対的に増加する。これは共振コイルＬｒに誘導された電流の強さ（又は、磁界の強さ）が増加することを意味する。電流の強さ（又は磁界の強さ）が増加することによって認識距離又は受信電圧が増加する。
【図面の簡単な説明】
【００１７】
【図１】本発明の一実施形態によるモバイルフォンのブロック図である。
【図２Ａ】本発明の一実施形態によるＮＦＣアンテナマッチングネットワークシステムの一例を概略的に示す図である。
【図２Ｂ】本発明の一実施形態によるＮＦＣアンテナマッチングネットワークシステムの他の例を概略的に示す図である。
【図２Ｃ】本発明の一実施形態によるＮＦＣアンテナマッチングネットワークシステムの多様な例を概略的に示す図である。
【図２Ｄ】本発明の一実施形態によるＮＦＣアンテナマッチングネットワークシステムの多様な例を概略的に示す図である。
【図２Ｅ】本発明の一実施形態によるＮＦＣアンテナマッチングネットワークシステムの多様な例を概略的に示す図である。
【図２Ｆ】本発明の一実施形態によるＮＦＣアンテナマッチングネットワークシステムの多様な例を概略的に示す図である。
【図３】ソースコイルと共振コイルとが形成された例を示す図である。
【図４】ソースコイルと共振コイルとが形成された例を示す図である。
【図５】ソースコイルと共振コイルとが形成された例を示す図である。
【図６】ソースコイルと共振コイルとが形成された例を示す図である。
【図７】本発明の他の実施形態によるソースコイルを示す図である。
【図８Ａ】本発明の他の実施形態によるＮＦＣアンテナマッチングネットワークシステムの一例を概略的に示す図である。
【図８Ｂ】本発明の他の実施形態によるＮＦＣアンテナマッチングネットワークシステムの他の例を概略的に示す図である。
【図８Ｃ】本発明の他の実施形態によるＮＦＣアンテナマッチングネットワークシステムの多様な例を概略的に示す図である。
【図８Ｄ】本発明の他の実施形態によるＮＦＣアンテナマッチングネットワークシステムの多様な例を概略的に示す図である。
【図９Ａ】本発明の更に他の実施形態によるＮＦＣアンテナマッチングネットワークシステムの一例を概略的に示す図である。
【図９Ｂ】本発明の更に他の実施形態によるＮＦＣアンテナマッチングネットワークシステムの他の例を概略的に示す図である。
【図９Ｃ】本発明の更に他の実施形態によるＮＦＣアンテナマッチングネットワークシステムの多様な例を概略的に示す図である。
【図９Ｄ】本発明の更に他の実施形態によるＮＦＣアンテナマッチングネットワークシステムの多様な例を概略的に示す図である。
【図１０Ａ】本発明の更に他の実施形態によるＮＦＣアンテナマッチングネットワークシステムの一例を概略的に示す図である。
【図１０Ｂ】本発明の更に他の実施形態によるＮＦＣアンテナマッチングネットワークシステムの他の例を概略的に示す図である。
【図１０Ｃ】本発明の更に他の実施形態によるＮＦＣアンテナマッチングネットワークシステムの多様な例を概略的に示す図である。
【図１０Ｄ】本発明の更に他の実施形態によるＮＦＣアンテナマッチングネットワークシステムの多様な例を概略的に示す図である。
【発明を実施するための形態】
【００１８】
以下、本発明の近距離無線通信（ＮＦＣ）アンテナマッチングネットワークシステム及びそれを含むユーザー装置を実施するための形態の具体例を、図面を参照しながら詳細に説明する。
【００１９】
本発明の長所及び特徴、そしてそれを達成する方法は、図面と共に詳細に後述する実施形態を通じて説明する。しかし、本発明はここで説明する実施形態に限定されるものではなく、他の形態に具現化され得る。本実施形態は、本発明が属する技術分野で通常の知識を有する者に本発明の技術的思想を容易に実施できるように詳細に説明するために提供するものである。
【００２０】
図面において、本発明の実施形態は、図示した特定形態に制限されるものではなく、説明を明確するために誇張したものである。また、明細書全体に亘り同一の参照番号で表示した部分は同一の構成要素を示す。
【００２１】
本明細書で‘及び／又は’という表現は、前後に羅列する構成要素の中の少なくとも１つを含む意味として使用する。また、‘連結される／結合される’という表現は、他の構成要素と直接的に連結させるか、或いは他の構成要素を通じて間接的に連結されることを含む意味として使用する。本明細書で単数形は文句で特別に言及しない限り複数形も含む。また、明細書で使用する‘含む’又は‘包含する’と言及した構成要素、段階、動作、素子、及び装置は１つ以上の他の構成要素、段階、動作、素子、及び装置の存在又は追加を意味する。
【００２２】
図１は、本発明の一実施形態によるモバイルフォンのブロック図であり、幾つかの実施形態で具現される例示的なユーザー装置のブロック図である。しかし、本発明がモバイルフォンに制限されないことは容易に理解できる。
【００２３】
図１を参照すると、モバイルフォン１０００は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）ブロック１００、ＮＦＣ（Ｎｅａｒ  Ｆｅｉｌｄ  Ｃｏｍｍｕｎｉｃａｔｉｏｎ）送受信機２００、入出力ブロック３００、応用ブロック４００、メモリ５００、及びディスプレー６００を含む。図１のモバイルフォン１０００の構成要素又はブロックは単なる例示的に示したものである。しかし、モバイルフォン１０００は更に多くの又は更に少ない構成要素又はブロックで構成され得る。更に、ＧＳＭ（登録商標）技術を使用するものとして図示しているが、モバイルフォン１０００は、ＣＤＭＡ（Ｃｏｄｅ  Ｄｉｖｉｓｉｏｎ  Ｍｕｌｔｉｐｌｅ  Ａｃｃｅｓｓ）のような他の通信技術を利用して具現され得る。図１のブロックは集積回路形態で具現される。或いは、ブロックの中の幾つかは集積回路形態で具現され、反面他のブロックは個別形態で具現される。
【００２４】
ＧＳＭ（登録商標）ブロック１００は、アンテナ１０１に連結され、公知された方式で無線電話機動作を提供する。ＧＳＭ（登録商標）ブロック１００は内部に受信機及び送信機（図示せず）を含んで対応する受信及び送信動作を遂行する。
【００２５】
ＮＦＣ送受信機２００は無線通信のために誘導結合（ｉｎｄｕｃｔｉｖｅ  ｃｏｕｐｌｉｎｇ）を利用してＮＦＣ信号を送受信する。ＮＦＣ送受信機２００はＮＦＣ信号をＮＦＣアンテナマッチングネットワークシステム２３０に提供し、ＮＦＣアンテナマッチングネットワークシステム２３０は誘導結合を通じてＮＦＣ信号を伝送する。ＮＦＣアンテナマッチングネットワークシステム２３０は、ＮＦＣ信号（他のＮＦＣ装置（図示せず）から提供される）を受信し、受信したＮＦＣ信号をＮＦＣ送受信機２００に提供する。
【００２６】
ＮＦＣ送受信機２００は、ＮＦＣインターフェイス及びプロトコル−１（ＮＦＣＩＰ−１）とＮＦＣインターフェイス及びプロトコル−２（ＮＦＣＩＰ−２）によって説明され、ＥＣＭＡ−３４０、ＩＳＯ／ＩＥＣ１８０９２、ＥＴＳＩ  ＴＳ  １０２  １９０、ＩＳＯ２１４８１、ＥＣＭＡ３５２、ＥＴＳＩ  ＴＳ  １０２  ３１２等で標準化された規定と一致するように動作する。
【００２７】
応用ブロック４００は、ハードウェア回路（例えば、１つ又はそれより多いプロセッサー）を含み、モバイルフォン１０００によって提供される多様な使用者アプリケーションを提供するように動作する。使用者アプリケーションは、音声呼出動作、データ伝送等を含む。応用ブロック４００はＧＳＭ（登録商標）ブロック１００と共に動作してそのような特徴を提供する。
【００２８】
ディスプレー６００は応用ブロック４００から受信したディスプレー信号に応答して映像を表示する。映像はモバイルフォン１０００に提供されたカメラ（図示せず）によって生成される。ディスプレー６００は、ピクセル値の一時格納のために内部にメモリ（例えば、フレームバッファ）を含み、関連する制御回路と共に液晶ディスプレースクリーンで構成される。入出力ブロック３００は、使用者に入力機能を提供し、また応用ブロック４００を通じて受信した出力を提供する。
【００２９】
メモリ５００は、応用ブロックによって使用されるプログラム（命令）及び／又はデータを格納し、ＲＡＭ、ＲＯＭ、フラッシュメモリ等で具現される。従って、メモリ５００は揮発性のみでなく、不揮発性格納素子を含む。
【００３０】
ＮＦＣアンテナマッチングネットワークシステム２３０は、誘導結合によって外部装置と通信し、ＮＦＣ信号の伝送及び受信のために使用される。ＮＦＣ送受信機２００によるＮＦＣ信号の伝送及び受信は時分割方式で行われる。従って、ＮＦＣ送受信機２００がＮＦＣ信号を伝送する時間区間を“伝送区間”と称し、ＮＦＣ送受信機２００の対応する動作モードを“伝送モード”又は“ＮＦＣリーダー伝送モード”と称する。同様に、ＮＦＣ送受信機２００がＮＦＣ信号を受信する時区間を“受信区間”と称し、ＮＦＣ送受信機２００の対応する動作モードを“受信モード”又は“ＮＦＣタグ受信モード”と称する。
【００３１】
図２Ａは、本発明の一実施形態によるＮＦＣアンテナマッチングネットワークシステムの一例を概略的に示す図である。
【００３２】
図２Ａを参照すると、本実施形態によるＮＦＣアンテナマッチングネットワークシステム２３０は、キャパシターＣｓ１０、Ｃｓ１１、Ｃｒ１０、及びインダクタＬｓ１０、Ｌｒ１０を含む。ＮＦＣアンテナマッチングネットワークシステム２３０はＮＦＣ送受信機２００のチップ端子２０２、２０３に電気的に連結される。ＮＦＣ送受信機２００がチップ端子２０２、２０３に連結されたリーダー器２１０を含む例を図２Ａに示した。しかし、本発明はそれに制限されないことは容易に理解できる。例えば、ＮＦＣ送受信機２００はカード回路を更に含む。これについては以下に詳細に説明する。
【００３３】
キャパシターＣｓ１０はチップ端子２０２とアンテナ端子２３１との間に連結され、キャパシターＣｓ１１はチップ端子２０３とアンテナ端子２３２との間に連結される。アンテナ端子２３１、２３２の間にはアンテナソースコイルとしてインダクタＬｓ１０が連結される。インダクタＬｓ１０とキャパシターＣｓ１０、Ｃｓ１１とは直列共振器を構成する。インダクタＬｓ１０はソースコイル（ｓｏｕｒｃｅ  ｃｏｉｌ）と称される。キャパシターＣｒ１０とインダクタＬｒ１０とは並列共振器を構成する。図２Ａに示したように、キャパシターＣｒ１０とインダクタＬｒ１０とで構成された並列共振器は、チップ端子２０２、２０３に電気的に連結された直列共振器と物理的に分離される。インダクタＬｒ１０は共振コイル（ｒｅｓｏｎａｎｃｅ  ｃｏｉｌ）と称される。ソースコイルは共振コイルと物理的に分離される。言い換えると、共振コイルＬｒ１０はソースコイルＬｓ１０から電気的にフローティングされる。ソースコイルＬｓ１０はリーダー器２１０から電力が供給され、共振コイルＬｒ１０は磁気誘導（ｍａｇｎｅｔｉｃ  ｉｎｄｕｃｔｉｏｎ）によってソースコイルＬｓ１０から電力が供給される。共振コイルＬｒ１０は、並列共振を通じてＮＦＣ信号を伝送するか、或いは受信する。
【００３４】
共振コイルＬｒ１０に並列連結されたキャパシターＣｒ１０は、集中定数素子（ｌｕｍｐｅｄ  ｅｌｅｍｅｎｔ）又は共振コイルＬｒ１０の寄生キャパシタンスである。
【００３５】
図２Ａに点線で示したように、アンテナ端子２３１、２３２の間にはキャパシターＣｐが並列連結され得る。即ち、キャパシターＣｐは選択的に使用される。
【００３６】
ＮＦＣ送受信機２００の伝送モードで、ソースコイルＬｓ１０（又は、ソースコイルＬｓ１０のインダクタンス）とキャパシターＣｓ１０、Ｃｓ１１とは直列共振器を構成する。リーダー器２１０から供給される電流がソースコイルＬｓ１０に流れる時、ソースコイルＬｓ１０の周辺に磁場（磁気フィールド）が形成される。この時、フローティング状態にある共振コイルＬｒ１０にはソースコイルＬｓ１０に形成された磁場によって誘導電流が流れる。言い換えると、共振コイルＬｒ１０は磁気誘導によってソースコイルＬｓ１０から電力が供給される。共振コイルＬｒ１０のインダクタンスとキャパシターＣｒ１０のキャパシタンスは、磁気誘導によって供給された電力によってリーダー器２１０から出力されたＮＦＣ信号によって占有される周波数バンドの中心周波数（例えば、１３．５６ＭＨｚ）で共振するように決定される。ＮＦＣ送受信機２００の伝送モードの時、リーダー器２１０はチップ端子２０２、２０３を通じてＮＦＣ信号を伝送する。
【００３７】
ＮＦＣ送受信機２００の受信モードで、ソースコイルＬｓ１０（又は、ソースコイルＬｓ１０のインダクタンス）とキャパシターＣｓ１０、Ｃｓ１１とは直列共振器を構成する。共振コイルＬｒ１０とキャパシターＣｒ１０とで構成された並列共振器は外部ＮＦＣ装置から伝送されたＮＦＣ信号に共振する。ソースコイルＬｓ１０には共振コイルＬｒ１０の周辺に形成された磁場によって誘導電流が流れる。言い換えると、ソースコイルＬｓ１０は磁気誘導によって共振コイルＬｒ１０から電力が供給される。並列共振器を通じて受信したＮＦＣ信号は、キャパシターＣｓ１０、Ｃｓ１１とソースコイルＬｓ１０とで構成された直列共振器を通じてリーダー器２１０に提供される。ＮＦＣ送受信機２００の受信モードの時、リーダー器２１０はチップ端子２０２、２０３を通じてＮＦＣ信号を受信する。
【００３８】
一般的なＮＦＣアンテナマッチングネットワークシステムの場合、直列共振のためのキャパシターと並列共振のためのキャパシターがアンテナに電気的に連結される。このような場合、直列共振のためのキャパシターがインピーダンスの側面で並列共振のためのキャパシターによって影響を受けるか、或いは並列共振のためのキャパシターがインピーダンスの側面で直列共振のためのキャパシターによって影響を受ける。そのような影響によって一般的なＮＦＣアンテナマッチングネットワークシステムの伝送性能（又は、Ｑ値（ｑｕａｌｉｔｙ  ｆａｃｔｏｒ））は低下し得る。
【００３９】
これに反して、本実施形態によるＮＦＣアンテナマッチングネットワークシステム２３０は、伝送モードに適合した（即ち、磁界を形成するのに有利である）直列共振器と受信モードに適合した（即ち、電力が供給されるのに有利である）並列共振器とが物理的に分離された状態でＮＦＣ信号を伝送するか、或いは受信する。この場合、直列共振器と並列共振器とはインピーダンスの側面で互いに影響を受けない。一般的なＮＦＣアンテナマッチングネットワークシステムと比較すると、共振コイルＬｒ１０から見たインピーダンスは、共振コイルＬｒ１０がフローティング状態に維持されるために低くなる。これはソースコイルＬｓ１０のインピーダンスが減少することを意味する。インピーダンスが減少することによって、ソースコイルＬｓ１０を通じて流れる電流量が相対的に増加する。これは共振コイルＬｒ１０に誘導された電流の強さ（又は、磁界の強さ）が増加することを意味する。電流の強さ（又は磁界の強さ）が増加することによって認識距離又は受信電圧が増加する。
【００４０】
図２Ｂは、本発明の一実施形態によるＮＦＣアンテナマッチングネットワークシステムの他の例を概略的に示す図である。
【００４１】
図２Ｂを参照すると、本実施形態によるＮＦＣアンテナマッチングネットワークシステム２３０＿２ｂは、キャパシターＣｓ１０、Ｃｓ１１、Ｃｒ１０、及びインダクタＬｓ１０、Ｌｒ１０を含む。キャパシターＣｓ１０、Ｃｓ１１、Ｃｒ１０、及びインダクタＬｓ１０、Ｌｒ１０は、図２Ａに示したものと実質的に同様に連結されるため、それに対する説明は省略する。
【００４２】
図２Ｂに示したように、ＮＦＣ送受信機２００＿２ｂはリーダー器２１０とカード回路２２０とを含む。図２Ａで説明したものと同様に、リーダー器２１０は、チップ端子２０２、２０３を通じてＮＦＣアンテナマッチングネットワークシステム２３０＿２ｂに連結される。ＮＦＣ送受信機２００＿２ｂの伝送モードの時、リーダー器２１０はチップ端子２０２、２０３を通じてＮＦＣ信号を伝送する。ＮＦＣ送受信機２００＿２ｂの受信モードの時、リーダー器２１０はチップ端子２０２、２０３を通じてＮＦＣ信号を受信する。また、カード回路２２０は、チップ端子２０２、２０３を通じてＮＦＣアンテナマッチングネットワークシステム２３０＿２ｂに連結される。従って、ＮＦＣ送受信機２００＿２ｂは、カード回路２２０がリーダー器２１０と共にチップ端子２０２、２０３を共有する点を除外すれば、図２Ａに示したものと実質的に同一である。
【００４３】
以下の図２Ｃ、図２Ｄ、図２Ｆに示すように、チップ端子２０４、２０５がアンテナ端子２３２、２３１に各々連結され得る。しかし、チップ端子２０４、２０５とＮＦＣアンテナマッチングネットワークシステムとの間の連結がここに開示したものに制限されないことは容易に理解できる。
【００４４】
図２Ｃは、本発明の一実施形態によるＮＦＣアンテナマッチングネットワークシステムの多様な例を概略的に示す図である。
【００４５】
図２Ｃを参照すると、本実施形態によるＮＦＣアンテナマッチングネットワークシステム２３０＿２ｃは、キャパシターＣｓ１０、Ｃｓ１１、Ｃｒ１０、及びインダクタＬｓ１０、Ｌｒ１０を含む。キャパシターＣｓ１０、Ｃｓ１１、Ｃｒ１０、及びインダクタＬｓ１０、Ｌｒ１０は、図２Ａに示したものと実質的に同様に連結されるため、それに対する説明は省略する。
【００４６】
図２Ｃに示したように、ＮＦＣ送受信機２００＿２ｃはリーダー器２１０とカード回路２２０とを含む。図２Ａで説明したものと同様に、リーダー器２１０は、チップ端子２０２、２０３を通じてＮＦＣアンテナマッチングネットワークシステム２３０＿２ｃに連結される。ＮＦＣ送受信機２００＿２ｃの伝送モードの時、リーダー器２１０はチップ端子２０２、２０３を通じてＮＦＣ信号を伝送する。ＮＦＣ送受信機２００＿２ｃの受信モードの時、リーダー器２１０はチップ端子２０２、２０３を通じてＮＦＣ信号を受信する。カード回路２２０は、別のチップ端子２０４、２０５を通じてＮＦＣアンテナマッチングネットワークシステム２３０＿２ｃに連結される。従って、ＮＦＣ送受信機２００＿２ｃは、カード回路２２０とリーダー器２１０とがそれぞれ別のチップ端子２０２、２０３、２０４、２０５を通じてＮＦＣアンテナマッチングネットワークシステム２３０＿２ｃに連結される点を除外すれば、図２Ａに示したものと実質的に同一である。
【００４７】
図２Ｄは、本発明の一実施形態によるＮＦＣアンテナマッチングネットワークシステムの多様な例を概略的に示す図である。
【００４８】
図２Ｄを参照すると、本実施形態によるＮＦＣアンテナマッチングネットワークシステム２３０＿２ｄは、キャパシターＣｓ１０、Ｃｓ１１、Ｃｒ１０、及びインダクタＬｓ１０、Ｌｒ１０を含む。キャパシターＣｓ１０、Ｃｓ１１、Ｃｒ１０、及びインダクタＬｓ１０、Ｌｒ１０は、図２Ａに示したものと実質的に同様に連結されるため、それに対する説明は省略する。
【００４９】
図２Ｄに示したように、ＮＦＣ送受信機２００＿２ｄはリーダー器２１０とカード回路２２０とを含む。リーダー器２１０は、チップ端子２０２、２０３、２０６を通じてＮＦＣアンテナマッチングネットワークシステム２３０＿２ｄに連結される。即ち、ＮＦＣ送受信機２００＿２ｄの伝送モードの時、リーダー器２１０はチップ端子２０２、２０３を通じてＮＦＣ信号を伝送する。ＮＦＣ送受信機２００＿２ｄの受信モードの時、リーダー器２１０はチップ端子２０２、２０３を通じてＮＦＣ信号を受信する。カード回路２２０は、別のチップ端子２０４、２０５を通じてＮＦＣアンテナマッチングネットワークシステム２３０＿２ｄに連結される。アンテナ端子２３２とチップ端子２０６との間には、ＮＦＣ信号の伝送状態（例えば、ソースコイルＬｓ１０の電圧）をモニターしてフィードバックするためのキャパシターＣｒｘと抵抗Ｒとが直列に連結される。
【００５０】
図２Ｅは、本発明の一実施形態によるＮＦＣアンテナマッチングネットワークシステムの多様な例を概略的に示す図である。
【００５１】
図２Ｅを参照すると、本実施形態によるＮＦＣアンテナマッチングネットワークシステム２３０＿２ｅは、キャパシターＣｓ１０、Ｃｓ１１、Ｃｒ１０、インダクタＬｓ１０、Ｌｒ１０、Ｌｔ１、Ｌｔ２、Ｌｔ３、及び抵抗Ｒｔ１、Ｒｔ２、Ｒｔ３を含む。図２Ｅに示したＮＦＣアンテナマッチングネットワークシステム２３０＿２ｅは、以下の差異点を除外すれば、図２Ａに示したものと実質的に同一であり、それに対する説明は省略する。
【００５２】
図２Ｅに示したように、アンテナ端子２３１とキャパシターＣｓ１０との間には抵抗Ｒｔ１とインダクタＬｔ１とが直列連結される。アンテナ端子２３２とキャパシターＣｓ１１との間には抵抗Ｒｔ２とインダクタＬｔ２とが直列連結される。ここで、抵抗Ｒｔ１、Ｒｔ２とインダクタＬｔ１、Ｌｔ２とはインピーダンスマッチング、バンド幅、Ｑ値等を調整するために使用される。抵抗Ｒｔ１、Ｒｔ２は必要によって除去される。同様に、インダクタＬｔ１、Ｌｔ２もやはり必要によって除去される。例えば、抵抗Ｒｔ１、Ｒｔ２又はインダクタＬｔ１、Ｌｔ２はインピーダンスマッチング、バンド幅、又はＱ値を調整するために使用される。また、共振コイルとしてインダクタＬｒ１０とキャパシターＣｒ１０との間に抵抗Ｒｔ３とインダクタＬｔ３とが直列連結される。同様に、抵抗Ｒｔ３又はインダクタＬｔ３はインピーダンスマッチング、バンド幅、又はＱ値を調整するために使用される。インピーダンスマッチング、バンド幅、又はＱ値を調整するために使用される抵抗とインダクタとは多様な組合せで使用される。
【００５３】
図示していないが、インピーダンスマッチング、バンド幅、又はＱ値を調整するために使用される抵抗及び／又はインダクタは、図２Ａ〜図２Ｄに示したＮＦＣアンテナマッチングネットワークシステムに適用され得ることは容易に理解できる。
【００５４】
図２Ｆは、本発明の一実施形態によるＮＦＣアンテナマッチングネットワークシステムの多様な例を概略的に示す図である。
【００５５】
図２Ｆを参照すると、本実施形態によるＮＦＣアンテナマッチングネットワークシステム２３０＿２ｆは、キャパシターＣｓ１０、Ｃｓ１１、Ｃｒ１０、Ｃｃ１０、Ｃｃ１１、及びインダクタＬｓ１０、Ｌｒ１０を含む。図２Ｅに示したＮＦＣアンテナマッチングネットワークシステム２３０＿２ｆは、以下の差異点を除外すれば、図２Ｃに示したものと実質的に同一であり、それに対する説明は省略する。
【００５６】
キャパシターＣｃ１０はチップ端子２０４とキャパシターＣｓ１１の一端（チップ端子２０３に隣接）との間に連結され、キャパシターＣｃ１１はチップ端子２０５とキャパシターＣｓ１０の一端（チップ端子２０２に隣接）との間に連結される。しかし、チップ端子２０４、２０５とＮＦＣアンテナマッチングネットワークシステムとの間の連結がここに開示したものに制限されないことは容易に理解できる。
【００５７】
図３〜図６は、ソースコイルと共振コイルとが形成された例を示す図である。本発明によるＮＦＣアンテナマッチングネットワークシステム２３０はソースコイルＬｓ１０と共振コイルＬｒ１０とを含む。ソースコイルＬｓ１０と共振コイルＬｒ１０の多様な形状を以下詳細に説明する。
【００５８】
図３を参照すると、フィルム７００上に第１導電ライン７１１と第２導電ライン７１２とが形成される。第１導電ライン７１１はループ形状を有するように形成され、第２導電ライン７１２はスパイラル形状を有するように形成される。第１導電ライン７１１はソースコイルＳＣに対応し、第２導電ライン７１１は共振コイルＲＣに対応する。第１及び第２導電ライン７１１、７１２の各々の線幅及び長さは多様に調節される。
【００５９】
共振コイルＬｒ１０に対応する第２導電ライン７１２の両端との間に集中定数素子としてキャパシターが連結される。或いは、共振コイルＬｒ１０に対応する第２導電ライン７１２の両端は電気的に連結される。共振コイルＬｒ１０に対応する第２導電ライン７１２の両端が電気的に連結される場合、共振コイルＬｒ１０と共に並列共振回路を構成するキャパシターは第２導電ライン７１２の寄生キャパシタンスで構成される。
【００６０】
図３には、第１導電ライン７１１と第２導電ライン７１２とがフィルム７００の上部面と下部面との中のいずれか１つの面に共に形成された例を図示した。これに反して、第１導電ライン７１１は、フィルム７００の上部面と下部面との中のいずれか１つの面に形成され、第２導電ライン７１２がフィルム７００の他の面に形成され得る。例えば、図４を参照すると、第１導電ライン７１１は、フィルム７００の上部面に形成され、実線で図示する。第２導電ライン７１２は、フィルム７００の下部面に形成され、点線で図示する。或いは、第１導電ライン７１１はフィルム７００の下部面に形成され、第２導電ライン７１２はフィルム７００の上部面に形成される。第１及び第２導電ライン７１１、７１２の各々の線幅及び長さは多様に調節される。第１導電ライン７１１はループ形状を有するように形成され、第２導電ライン７１２はスパイラル形状を有するように形成される。
【００６１】
他の実施形態として、第１導電ライン７１１と第２導電ライン７１２とを入れ替え、共振コイルＬｒ１０に対応する第２導電ライン７１１の両端の間に集中定数素子としてキャパシターが連結される。或いは、共振コイルＬｒ１０に対応する第２導電ライン７１１の両端は電気的に連結される。共振コイルＬｒ１０に対応する第２導電ライン７１１の両端が電気的に連結される場合、共振コイルＬｒ１０と共に並列共振回路を構成するキャパシターは第２導電ライン７１１２の寄生キャパシタンスで構成される。
【００６２】
図３及び図４には、第２導電ライン７１２が１つの導電ラインで形成された例を図示した。しかし、第２導電ライン７１２は少なくとも２つの導電ラインで構成され得る。例えば、図５を参照すると、導電ライン７１２ａがフィルム７００の下部面７００Ｂに形成され、導電ライン７１２ｂがフィルム７００の上部面７００Ｕに形成される。このような場合、共振コイルＬｒ１０に対応する導電ライン７１２ａ、７１２ｂは、フィルム７００を貫通するビアホールを通じて電気的に連結される。第１導電ライン７１１はループ形状を有するように形成され、共振コイルＬｒ１０を構成する導電ライン７１２ａ、７１２ｂの各々はスパイラル形状を有するように形成される。
【００６３】
導電ライン７１２ａの一端と導電ライン７１２ｂの一端とは直接連結されるか、或いは集中定数素子としてキャパシターが挿入された状態で電気的に連結される。
【００６４】
図５には、第２導電ライン７１２を構成する２つの導電ラインの中の１つがフィルム７００の上部面又は下部面に形成され、残る１つがフィルム７００の下部面又は上部面に形成された例を図示した。しかし、第２導電ライン７１２を構成する２つの導電ラインがフィルム７００の上部面と下部面との中のいずれか一面に形成され得る。例えば、図６を参照すると、第２導電ライン７１２を構成する２つの導電ライン７１２ｃ、７１２ｄがソースコイルＬｃ１０に対応する第１導電ライン７１１が形成されたフィルム７００の上部面又は下部面に形成される。このような場合、第２導電ライン７１２を構成する２つの導電ライン７１２ｃ、７１２ｄの中の１つ７１２ｃは第１導電ライン７１１によって定義された内部空間内に形成され、他の１つ７１２ｄは第２導電ライン７１１の外部に形成される。第１導電ライン７１１はループ形状を有するように形成され、共振コイルＬｒ１０を構成する導電ライン７１２ｃ、７１２ｄの各々はスパイラル形状を有するように形成される。導電ライン７１２ｃ、７１２ｄの一端は電気的に連結され、導電ライン７１２ｃ、７１２ｄの他端は直接連結されるか、或いは集中定数素子としてキャパシターが挿入された状態で電気的に連結される。
【００６５】
図７は、本発明の他の実施形態によるソースコイルを示す図である。
【００６６】
図３〜図６には、ソースコイルＳＣが単一ループコイルで構成された例を図示した。ソースコイルＬｓ１０も、マルチループコイルで構成することができる。例えば、図７に示したように、ソースコイルＬｓ１０に対応する第１導電ライン７１１は、直列連結された２つのループを有するように形成される。第１導電ライン７１１のループ数は、ここに開示したものに制限されないことは容易に理解できる。図３〜図６に示したソースコイルＬｓ１０は、図７に示したソースコイルＬｓ１０で各々代替され得る。
【００６７】
本発明によるアンテナ構造は、対称構造及び非対称構造の全てに適用される。
【００６８】
ソースコイルと共振コイルとを隣接するように配列することができれば、ソースコイルと共振コイルとの位置は制限されない。例えば、ソースコイルはバッテリーに形成され、共振コイルはバッテリーに隣接するモバイル装置のケース（又は、バッテリーカバー）に形成される。
【００６９】
図８Ａは、本発明の他の実施形態によるＮＦＣアンテナマッチングネットワークシステムの一例を示す図である。
【００７０】
図８Ａを参照すると、本実施形態によるＮＦＣアンテナマッチングネットワークシステム２３０＿８ａは、キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０を含む。ＮＦＣアンテナマッチングネットワークシステム２３０＿８ａはＮＦＣ送受信機２００のチップ端子２０２、２０３に電気的に連結される。ＮＦＣ送受信機２００＿８ａがチップ端子２０２、２０３に連結されたリーダー器２１０を含む例を図８Ａに示した。しかし、本発明はそれに制限されないことは容易に理解できる。例えば、ＮＦＣ送受信機２００＿８ａはカード回路を更に含む。これについては以下に詳細に説明する。
【００７１】
インダクタＬｅ１０、Ｌｅ１１とキャパシターＣｅ１０、Ｃｅ１１とはリーダー器２１０から出力されるＮＦＣ信号の高調波を除去するためのフィルター（例えば、ＥＭＣフィルター）を構成する。インダクタＬｅ１０とキャパシターＣｓ２０とはチップ端子２０２とアンテナノード２３１との間に直列連結され、キャパシターＣｅ１０は、インダクタＬｅ１０とキャパシターＣｓ２０との連結ノード２３３と、基準電位（例えば、接地電圧）との間に連結される。インダクタＬｅ１１とキャパシターＣｓ２１とはチップ端子２０３とアンテナノード２３２との間に直列連結され、キャパシターＣｅ１１は、インダクタＬｅ１１とキャパシターＣｓ２１との連結ノード２３４と、基準電位（例えば、接地電圧）との間に連結される。
【００７２】
インダクタＬｓ２０とキャパシターＣｓ２０、Ｃｓ２１とは直列共振器を構成する。インダクタＬｓ２０はソースコイルと称される。キャパシターＣｒ２０とインダクタＬｒ２０とは並列共振器を構成する。図８Ａに示したように、キャパシターＣｒ２０とインダクタＬｒ２０とで構成された並列共振器は、チップ端子２０２、２０３に電気的に連結された直列共振器と物理的に分離される。インダクタＬｒ２０は共振コイルと称される。ソースコイルＬｓ２０は共振コイルＬｒ２０と物理的に分離される。言い換えると、共振コイルＬｒ２０はソースコイルＬｓ２０から電気的にフローティングされる。ソースコイルＬｓ２０はリーダー器２１０から電力が供給され、共振コイルＬｒ２０は磁気誘導によってソースコイルＬｓ２０から電力が供給される。共振コイルＬｒ２０は、並列共振を通じてＮＦＣ信号を伝送するか、或いは受信する。
【００７３】
本実施形態によるＮＦＣアンテナマッチングネットワークシステム２３０＿８ａが伝送モードに適合した（即ち、磁界を形成するのに有利である）直列共振器と受信モードに適合した（即ち、電力が供給されるのに有利である）並列共振器とが物理的に分離された状態でＮＦＣ信号を伝送するか、或いは受信するため、直列共振器と並列共振器とはインピーダンスの側面で互いに影響を受けない。共振コイルＬｒ２０から見たインピーダンスは、共振コイルＬｒ２０がフローティング状態に維持されるために低くなる。従って、Ｑ値が高くなり、共振コイルＬｒ２０に誘導された電流の強さ（又は、磁界の強さ）が増加する。また、電流の強さ（又は磁界の強さ）が増加することによって認識距離又は受信電圧が増加する。
【００７４】
共振コイルＬｒ２０に並列連結されたキャパシターＣｒ２０は、集中定数素子又は共振コイルＬｒ２０の寄生キャパシタンスである。
【００７５】
図８Ａに点線で示したように、アンテナ端子２３１、２３２の間にはキャパシターＣｐが並列連結され得る。即ち、キャパシターＣｐは選択的に使用される。
【００７６】
図８Ｂは、本発明の他の実施形態によるＮＦＣアンテナマッチングネットワークシステムの他の例を概略的に示す図である。
【００７７】
図８Ｂを参照すると、本実施形態によるＮＦＣアンテナマッチングネットワークシステム２３０＿８ｂは、キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０を含む。キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０は、図８Ａに示したものと実質的に同様に連結されるため、それに対する説明は省略する。
【００７８】
図８Ｂに示したように、ＮＦＣ送受信機２００＿８ｂはリーダー器２１０とカード回路２２０とを含む。図８Ａで説明したものと同様に、リーダー器２１０は、チップ端子２０２、２０３を通じてＮＦＣアンテナマッチングネットワークシステム２３０＿８ｂに連結される。ＮＦＣ送受信機２００＿８ｂの伝送モードの時、リーダー器２１０はチップ端子２０２、２０３を通じてＮＦＣ信号を伝送する。ＮＦＣ送受信機２００＿８ｂの受信モードの時、リーダー器２１０はチップ端子２０２、２０３を通じてＮＦＣ信号を受信する。また、カード回路２２０は、チップ端子２０２、２０３を通じてＮＦＣアンテナマッチングネットワークシステム２３０＿８ｂに連結される。従って、ＮＦＣ送受信機２００＿８ｂは、カード回路２２０がリーダー器２１０と共にチップ端子２０２、２０３を共有する点を除外すれば、図８Ａに示したものと実質的に同一である。
【００７９】
図８Ｃは、本発明の他の実施形態によるＮＦＣアンテナマッチングネットワークシステムの多様な例を概略的に示す図である。
【００８０】
図８Ｃを参照すると、本実施形態によるＮＦＣアンテナマッチングネットワークシステム２３０＿８ｃは、キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０を含む。キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０は、図８Ａに示したものと実質的に同様に連結されるため、それに対する説明は省略する。
【００８１】
図８Ｃに示したように、ＮＦＣ送受信機２００＿８ｃはリーダー器２１０とカード回路２２０とを含む。図８Ａで説明したものと同様に、リーダー器２１０は、チップ端子２０２、２０３を通じてＮＦＣアンテナマッチングネットワークシステム２３０＿８ｃに連結される。ＮＦＣ送受信機２００＿８ｃの伝送モードの時、リーダー器２１０はチップ端子２０２、２０３を通じてＮＦＣ信号を伝送する。ＮＦＣ送受信機２００＿８ｃの受信モードの時、リーダー器２１０はチップ端子２０２、２０３を通じてＮＦＣ信号を受信する。カード回路２２０は、別のチップ端子２０４、２０５を通じてＮＦＣアンテナマッチングネットワークシステム２３０＿８ｃに連結される。従って、ＮＦＣ送受信機２００＿８ｃは、カード回路２２０とリーダー器２１０とがそれぞれ別のチップ端子２０２、２０３、２０４、２０５を通じてＮＦＣアンテナマッチングネットワークシステム２３０＿８ｃに連結される点を除外すれば、図８Ａに示したものと実質的に同一である。
【００８２】
図８Ｄは、本発明の他の実施形態によるＮＦＣアンテナマッチングネットワークシステムの多様な例を概略的に示す図である。
【００８３】
図８Ｄを参照すると、本実施形態によるＮＦＣアンテナマッチングネットワークシステム２３０＿８ｄは、キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０を含む。キャパシターＣｅ１０、Ｃｅ１１、Ｃｓ２０、Ｃｓ２１、Ｃｒ２０、及びインダクタＬｅ１０、Ｌｅ１１、Ｌｓ２０、Ｌｒ２０は、図８Ａに示したものと実質的に同様に連結されるため、それに対する説明は省略する。
【００８４】
図８Ｄに示したように、ＮＦＣ送受信機２００＿８ｄはリーダー器２１０とカード回路２２０とを含む。リーダー器２１０は、チップ端子２０２、２０３、２０６を通じてＮＦＣアンテナマッチングネットワークシステム２３０＿８ｄに連結される。即ち、ＮＦＣ送受信機２００＿８ｄの伝送モードの時、リーダー器２１０はチップ端子２０２、２０３を通じてＮＦＣ信号を伝送する。ＮＦＣ送受信機２００＿８ｄの受信モードの時、リーダー器２１０はチップ端子２０２、２０３を通じてＮＦＣ信号を受信する。カード回路２２０は、別のチップ端子２０４、２０５を通じてＮＦＣアンテナマッチングネットワークシステム２３０＿８ｄに連結される。アンテナ端子２３２とチップ端子２０６との間には、ＮＦＣ信号の伝送状態（例えば、ソースコイルＬｓ１０の電圧）をモニターしてフィードバックするためのキャパシターＣｒｘ１０と抵抗Ｒ１０とが直列に連結される。
【００８５】
図示していないが、図８Ａ〜図８Ｄに示したＮＦＣアンテナマッチングネットワークシステムには、図２Ｅで説明したように、インピーダンスマッチング、バンド幅、及び／又はＱ値を調整するための抵抗及び／又はインダクタが適用され得ることは容易に理解できる。また、図８Ｃ及び図８Ｄに示したＮＦＣアンテナマッチングネットワークシステムにおいて、チップ端子２０４、２０５とＮＦＣアンテナマッチングネットワークシステムとの間の連結は、上述したように多様に変更され得る。また、図２Ｆを参照して説明したように、ＮＦＣアンテナマッチングネットワークシステムとチップ端子２０４、２０５との間にはキャパシターが連結され得る。
【００８６】
図９Ａは、本発明の更に他の実施形態によるＮＦＣアンテナマッチングネットワークシステムの一例を示す図である。
【００８７】
図９Ａを参照すると、本実施形態によるＮＦＣアンテナマッチングネットワークシステム２３０＿９ａは、キャパシターＣｓ３０、Ｃｓ３１、Ｃｒ３０、及びインダクタＬｅ２０、Ｌｅ２１、Ｌｓ３０、Ｌｒ３０を含む。ＮＦＣアンテナマッチングネットワークシステム２３０＿９ａはＮＦＣ送受信機２００＿９ａのチップ端子２０２、２０３に電気的に連結される。ＮＦＣ送受信機２００＿９ａがチップ端子２０２、２０３に連結されたリーダー器２１０を含む例を図９Ａに示した。しかし、本発明はそれに制限されないことは容易に理解できる。例えば、ＮＦＣ送受信機２００＿９ａはカード回路を更に含む。これについては以下に詳細に説明する。
【００８８】
インダクタＬｅ２０とキャパシターＣｓ３０とはチップ端子２０２とアンテナノード２３１との間に直列連結され、インダクタＬｅ２１とキャパシターＣｓ３１とはチップ端子２０３とアンテナノード２３２との間に直列連結される。インダクタＬｓ３０とキャパシターＣｓ３０、Ｃｓ３１とは直列共振器を構成する。インダクタＬｓ３０はソースコイルと称される。キャパシターＣｒ３０とインダクタＬｒ３０とは並列共振器を構成する。図９Ａに示したように、キャパシターＣｒ３０とインダクタＬｒ３０とで構成された並列共振器は、チップ端子２０２、２０３に電気的に連結された直列共振器と物理的に分離される。インダクタＬｒ３０は共振コイルと称される。ソースコイルＬｓ３０は共振コイルＬｒ３０と物理的に分離される。言い換えると、共振コイルＬｒ３０はソースコイルＬｓ３０から電気的にフローティングされる。ソースコイルＬｓ３０はリーダー器２１０から電力が供給され、共振コイルＬｒ３０は磁気誘導によってソースコイルＬｓ３０から電力が供給される。共振コイルＬｒ３０は、並列共振を通じてＮＦＣ信号を伝送するか、或いは受信する。
【００８９】
本実施形態によるＮＦＣアンテナマッチングネットワークシステム２３０＿９ａが伝送モードに適合した（即ち、磁界を形成するのに有利である）直列共振器と受信モードに適合した（即ち、電力が供給されるのに有利である）並列共振器とが物理的に分離された状態でＮＦＣ信号を伝送するか、或いは受信するため、直列共振器と並列共振器とはインピーダンスの側面で互いに影響を受けない。共振コイルＬｒ３０から見たインピーダンスは、共振コイルＬｒ３０がフローティング状態に維持されるために低くなる。従って、Ｑ値が高くなり、共振コイルＬｒ３０に誘導された電流の強さ（又は、磁界の強さ）が増加する。また、電流の強さ（又は磁界の強さ）が増加することによって認識距離又は受信電圧が増加する。
【００９０】
共振コイルＬｒ３０に並列連結されたキャパシターＣｒ３０は、集中定数素子又は共振コイルＬｒ３０の寄生キャパシタンスである。
【００９１】
図９Ａに点線で示したように、アンテナ端子２３１、２３２の間にはキャパシターＣｐが並列連結され得る。即ち、キャパシターＣｐは選択的に使用される。
【００９２】
図９Ｂは、本発明の更に他の実施形態によるＮＦＣアンテナマッチングネットワークシステムの他の例を概略的に示す図である。
【００９３】
図９Ｂを参照すると、本実施形態によるＮＦＣアンテナマッチングネットワークシステム２３０＿９ｂは、キャパシターＣｓ３０、Ｃｓ３１、Ｃｒ３０、及びインダクタＬｅ２０、Ｌｅ２１、Ｌｓ３０、Ｌｒ３０を含む。キャパシターＣｓ３０、Ｃｓ３１、Ｃｒ３０、及びインダクタＬｅ２０、Ｌｅ２１、Ｌｓ３０、Ｌｒ３０は、図９Ａに示したものと実質的に同様に連結されるため、それに対する説明は省略する。
【００９４】
図９Ｂに示したように、ＮＦＣ送受信機２００＿９ｂはリーダー器２１０とカード回路２２０とを含む。図９Ａで説明したものと同様に、リーダー器２１０は、チップ端子２０２、２０３を通じてＮＦＣアンテナマッチングネットワークシステム２３０＿９ｂに連結される。ＮＦＣ送受信機２００＿９ｂの伝送モードの時、リーダー器２１０はチップ端子２０２、２０３を通じてＮＦＣ信号を伝送する。ＮＦＣ送受信機２００＿９ｂの受信モードの時、リーダー器２１０はチップ端子２０２、２０３を通じてＮＦＣ信号を受信する。また、カード回路２２０は、チップ端子２０２、２０３を通じてＮＦＣアンテナマッチングネットワークシステム２３０＿９ｂに連結される。従って、ＮＦＣ送受信機２００＿９ｂは、カード回路２２０がリーダー器２１０と共にチップ端子２０２、２０３を共有する点を除外すれば、図９Ａに示したものと実質的に同一である。
【００９５】
図９Ｃは、本発明の更に他の実施形態によるＮＦＣアンテナマッチングネットワークシステムの多様な例を概略的に示す図である。
【００９６】
図９Ｃを参照すると、本実施形態によるＮＦＣアンテナマッチングネットワークシステム２３０＿８ｃは、キャパシターＣｓ３０、Ｃｓ３１、Ｃｒ３０、及びインダクタＬｅ２０、Ｌｅ２１、Ｌｓ３０、Ｌｒ３０を含む。キャパシターＣｓ３０、Ｃｓ３１、Ｃｒ３０、及びインダクタＬｅ２０、Ｌｅ２１、Ｌｓ３０、Ｌｒ３０は、図９Ａに示したものと実質的に同様に連結されるため、それに対する説明は省略する。
【００９７】
図９Ｃに示したように、ＮＦＣ送受信機２００＿９ｃはリーダー器２１０とカード回路２２０とを含む。図９Ａで説明したものと同様に、リーダー器２１０は、チップ端子２０２、２０３を通じてＮＦＣアンテナマッチングネットワークシステム２３０＿９ｃに連結される。ＮＦＣ送受信機２００＿９ｃの伝送モードの時、リーダー器２１０はチップ端子２０２、２０３を通じてＮＦＣ信号を伝送する。ＮＦＣ送受信機２００＿９ｃの受信モードの時、リーダー器２１０はチップ端子２０２、２０３を通じてＮＦＣ信号を受信する。カード回路２２０は、別のチップ端子２０４、２０５を通じてＮＦＣアンテナマッチングネットワークシステム２３０＿９ｃに連結される。従って、ＮＦＣ送受信機２００＿９ｃは、カード回路２２０とリーダー器２１０とがそれぞれ別のチップ端子２０２、２０３、２０４、２０５を通じてＮＦＣアンテナマッチングネットワークシステム２３０＿９ｃに連結される点を除外すれば、図９Ａに示したものと実質的に同一である。
【００９８】
図９Ｄは、本発明の更に他の実施形態によるＮＦＣアンテナマッチングネットワークシステムの多様な例を概略的に示す図である。
【００９９】
図９Ｄを参照すると、本実施形態によるＮＦＣアンテナマッチングネットワークシステム２３０＿９ｄは、キャパシターＣｓ３０、Ｃｓ３１、Ｃｒ３０、及びインダクタＬｅ２０、Ｌｅ２１、Ｌｓ３０、Ｌｒ３０を含む。キャパシターＣｓ３０、Ｃｓ３１、Ｃｒ３０、及びインダクタＬｅ２０、Ｌｅ２１、Ｌｓ３０、Ｌｒ３０は、図９Ａに示したものと実質的に同様に連結されるため、それに対する説明は省略する。
【０１００】
図９Ｄに示したように、ＮＦＣ送受信機２００＿９ｄはリーダー器２１０とカード回路２２０を含む。リーダー器２１０は、チップ端子２０２、２０３、２０６を通じてＮＦＣアンテナマッチングネットワークシステム２３０＿９ｄに連結される。即ち、ＮＦＣ送受信機２００＿９ｄの伝送モードの時、リーダー器２１０はチップ端子２０２、２０３を通じてＮＦＣ信号を伝送する。ＮＦＣ送受信機２００＿９ｄの受信モードの時、リーダー器２１０はチップ端子２０２、２０３を通じてＮＦＣ信号を受信する。カード回路２２０は、別のチップ端子２０４、２０５を通じてＮＦＣアンテナマッチングネットワークシステム２３０＿９ｄに連結される。アンテナ端子２３２とチップ端子２０６との間には、ソースコイルＬｓ３０（例えば、電圧）をモニターするためのキャパシターＣｒｘ２０と抵抗Ｒ２０とが直列に連結される。
【０１０１】
図示していないが、図９Ａ〜図９Ｄに示したＮＦＣアンテナマッチングネットワークシステムには、図２Ｅで説明したように、インピーダンスマッチング、バンド幅、及び／又はＱ値を調整するための抵抗及び／又はインダクタが適用され得ることは容易に理解できる。また、図９Ｃ及び図９Ｄに示したＮＦＣアンテナマッチングネットワークシステムにおいて、チップ端子２０４、２０５とＮＦＣアンテナマッチングネットワークシステムとの間の連結は、上述したように多様に変更され得る。また、図２Ｆを参照して説明したように、ＮＦＣアンテナマッチングネットワークシステムとチップ端子２０４、２０５との間にはキャパシターが連結され得る。
【０１０２】
図１０Ａは、本発明の更に他の実施形態によるＮＦＣアンテナマッチングネットワークシステムの一例を概略的に示す図である。
【０１０３】
図１０Ａを参照すると、本実施形態によるＮＦＣアンテナマッチングネットワークシステム２３０＿１０ａは、キャパシターＣｓ４０、Ｃｓ４１、Ｃｒ４０、及びインダクタＬｅ３０、Ｌｅ３１、Ｌｓ４０、Ｌｒ４０を含む。図１０Ａに示したＮＦＣアンテナマッチングネットワークシステム２３０＿１０ａは、キャパシターＣｓ４０とインダクタＬｅ３０の位置及びキャパシターＣｓ４１とインダクタＬｅ３１の位置が変更される点を除外すれば、図９Ａに示したものと実質的に同様に構成されるため、それに対する説明は省略する。また、図１０Ａに示したＮＦＣ送受信機２００＿１０ａは、図９Ａに示したものと実質的に同様に構成されるため、それに対する説明は省略する。
【０１０４】
図１０Ｂは、本発明の更に他の実施形態によるＮＦＣアンテナマッチングネットワークシステムの他の例を概略的に示す図面である。
【０１０５】
図１０Ｂを参照すると、本実施形態によるＮＦＣアンテナマッチングネットワークシステム２３０＿１０ｂは、キャパシターＣｓ４０、Ｃｓ４１、Ｃｒ４０、及びインダクタＬｅ３０、Ｌｅ３１、Ｌｓ４０、Ｌｒ４０を含む。図１０Ｂに示したＮＦＣアンテナマッチングネットワークシステム２３０＿１０ｂは、キャパシターＣｓ４０とインダクタＬｅ３０の位置及びキャパシターＣｓ４１とインダクタＬｅ３１の位置が変更される点を除外すれば、図９Ｂに示したものと実質的に同様に構成されるため、それに対する説明は省略する。また、図１０Ｂに示したＮＦＣ送受信機２００＿１０ｂは、図９Ｂに示したものと実質的に同様に構成されるため、それに対する説明は省略する。
【０１０６】
図１０Ｃは、本発明の更に他の実施形態によるＮＦＣアンテナマッチングネットワークシステムの多様な例を概略的に示す図である。
【０１０７】
図１０Ｃを参照すると、本実施形態によるＮＦＣアンテナマッチングネットワークシステム２３０＿１０ｃは、キャパシターＣｓ４０、Ｃｓ４１、Ｃｒ４０、及びインダクタＬｅ３０、Ｌｅ３１、Ｌｓ４０、Ｌｒ４０を含む。図１０Ｃに示したＮＦＣアンテナマッチングネットワークシステム２３０＿１０ｃは、キャパシターＣｓ４０とインダクタＬｅ３０との位置及びキャパシターＣｓ４１とインダクタＬｅ３１との位置が変更される点を除外すれば、図９Ｃに示したものと実質的に同様に構成されるため、それに対する説明は省略する。また、図１０Ｃに示したＮＦＣ送受信機２００＿１０ｃは、図９Ｃに示したものと実質的に同様に構成されるため、それに対する説明は省略する。
【０１０８】
図１０Ｄは、本発明の更に他の実施形態によるＮＦＣアンテナマッチングネットワークシステムの多様な例を概略的に示す図である。
【０１０９】
図１０Ｄを参照すると、本実施形態によるＮＦＣアンテナマッチングネットワークシステム２３０＿１０ｄは、キャパシターＣｓ４０、Ｃｓ４１、Ｃｒ４０、及びインダクタＬｅ３０、Ｌｅ３１、Ｌｓ４０、Ｌｒ４０を含む。図１０Ｄに示したＮＦＣアンテナマッチングネットワークシステム２３０＿１０ｄは、キャパシターＣｓ４０とインダクタＬｅ３０との位置及びキャパシターＣｓ４１とインダクタＬｅ３１との位置が変更される点を除外すれば、図９Ｄに示したものと実質的に同様に構成されるため、それに対する説明は省略する。また、図１０Ｄに示したＮＦＣ送受信機２００＿１０ｄは、図９Ｄに示したものと実質的に同様に構成されるため、それに対する説明は省略する。アンテナ端子２３２とチップ端子２０６間には、ＮＦＣ信号の伝送状態（例えば、ソースコイルＬｓ１０の電圧）をモニターしてフィードバックするためのキャパシターＣｒｘ３０と抵抗Ｒ３０が直列に連結される。
【０１１０】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１１１】
１００    ＧＳＭ（登録商標）ブロック
２００、２００＿２ｂ、２００＿２ｃ、２００＿２ｄ、２００＿８ａ、２００＿８ｂ、２００＿８ｃ、２００＿８ｄ、２００＿９ａ、２００＿９ｂ、２００＿９ｃ、２００＿９ｄ、２００＿１０ａ、２００＿１０ｂ、２００＿１０ｃ、２００＿１０ｄ    ＮＦＣ送受信機
２１０    リーダー器
２０２、２０３、２０４、２０５、２０６    チップ端子
２２０    カード回路
２３０、２３０＿２ｂ、２３０＿２ｃ、２３０＿２ｄ、２３０＿２ｅ、２３０＿２ｆ、２３０＿８ａ、２３０＿８ｂ、２３０＿８ｃ、２３０＿８ｄ、２３０＿９ａ、２３０＿９ｂ、２３０＿９ｃ、２３０＿９ｄ、２３０＿１０ａ、２３０＿１０ｂ、２３０＿１０ｃ、２３０＿１０ｄ    ＮＦＣアンテナマッチングネットワークシステム（ＡＭＮＳ）
２３１、２３２    アンテナ端子
２３３，２３４    
３００    入出力ブロック
４００    応用ブロック
５００    メモリ
６００    ディスプレー
７００、７００Ｂ、７００Ｕ    フィルム
７１１、７１２、７１２ａ、７１２ｂ、７１２ｃ、７１２ｄ    （第１、第２）導電ライン
【図１】
2014117150.tif 000003
【図２Ａ】
2014117150.tif 000004
【図２Ｂ】
2014117150.tif 000005
【図２Ｃ】
2014117150.tif 000006
【図２Ｄ】
2014117150.tif 000007
【図２Ｅ】
2014117150.tif 000008
【図２Ｆ】
2014117150.tif 000009
【図３】
2014117150.tif 000010
【図４】
2014117150.tif 000011
【図５】
2014117150.tif 000012
【図６】
2014117150.tif 000013
【図７】
2014117150.tif 000014
【図８Ａ】
2014117150.tif 000015
【図８Ｂ】
2014117150.tif 000016
【図８Ｃ】
2014117150.tif 000017
【図８Ｄ】
2014117150.tif 000018
【図９Ａ】
2014117150.tif 000019
【図９Ｂ】
2014117150.tif 000020
【図９Ｃ】
2014117150.tif 000021
【図９Ｄ】
2014117150.tif 000022
【図１０Ａ】
2014117150.tif 000023
【図１０Ｂ】
2014117150.tif 000024
【図１０Ｃ】
2014117150.tif 000025
【図１０Ｄ】
2014117150.tif 000026